(57)【要約】【課題】  測定対象のＲＴＰストリームに与える影響を最小限にし、かつＲＴＣＰとは独立してラウンドトリップ遅延値の測定を行うことが可能なゲートウェイ装置を提供する。【解決手段】  重複作成指示部１７は外部インタフェース１１を通して外部からの測定起動指示によって、パケット送信部１３と重複検出部１６とに起動指示を送る。重複検出部１６は重複作成指示部１７が起動した時、及び重複作成指示部１７が起動中かつすでに受け取ったことのあるＲＴＰパケットと同じシーケンス番号を持ったパケットがパケット受信部１２に到着した時に、タイマ１５の時間取得を行い、時間差を外部インタフェース１１を通して外部に通知する。また、重複検出部１６は重複作成指示部１７が未起動時にはタイマ１５からの時間取得を行わず、重複作成指示部１７に対して重複パケット作成を指示する。【選択図】      図２
2006086668.tif 000002
【特許請求の範囲】
【請求項１】
ＩＰ（Ｉｎｔｅｒｎｅｔ  Ｐｒｏｔｏｃｏｌ）ネットワークを介して相互に接続される第１のゲートウェイ装置と第２のゲートウェイ装置との間において前記ＩＰネットワークの遅延を測定する通信ネットワークであって、
送出側において前記遅延の測定指示直前に送出したパケットに重複する第１のパケットを受信側に送出する手段と、前記第１のパケットの受信に応答して受信側から送出されかつ前記第１のパケットの受信直前に送出されたパケットに重複する第２のパケットを検出する手段と、前記第１のパケットを送出してから前記第２のパケットを検出するまでの時間を測定する手段とを前記第１及び第２のゲートウェイ装置各々に有することを特徴とする通信ネットワーク。
【請求項２】
ＲＴＰ（Ｒｅａｌ−ｔｉｍｅ  Ｔｒａｎｓｐｏｒｔ  Ｐｒｏｔｏｃｏｌ）を用いて伝送される一連のデータであるＲＴＰストリームが通過する経路のラウンドトリップ遅延値を測定することを特徴とする請求項１記載の通信ネットワーク。
【請求項３】
前記第１のゲートウェイ装置と前記第２のゲートウェイ装置との間に前記ＲＴＰストリームが存在する時に前記第１のゲートウェイ装置〜前記第２のゲートウェイ装置〜前記第１のゲートウェイ装置の間のラウンドトリップ遅延値の測定を前記第１のゲートウェイ装置で行うことを特徴とする請求項２記載の通信ネットワーク。
【請求項４】
前記第１及び第２のパケットは、ＲＴＰパケットであることを特徴とする請求項２または請求項３記載の通信ネットワーク。
【請求項５】
ＩＰ（Ｉｎｔｅｒｎｅｔ  Ｐｒｏｔｏｃｏｌ）ネットワークを介して接続される対向側との間において前記ＩＰネットワークの遅延を測定するゲートウェイ装置であって、
送出側において前記遅延の測定指示直前に送出したパケットに重複する第１のパケットを受信側に送出する手段と、前記第１のパケットの受信に応答して受信側から送出されかつ前記第１のパケットの受信直前に送出されたパケットに重複する第２のパケットを検出する手段と、前記第１のパケットを送出してから前記第２のパケットを検出するまでの時間を測定する手段とを有することを特徴とするゲートウェイ装置。
【請求項６】
ＲＴＰ（Ｒｅａｌ−ｔｉｍｅ  Ｔｒａｎｓｐｏｒｔ  Ｐｒｏｔｏｃｏｌ）を用いて伝送される一連のデータであるＲＴＰストリームが通過する経路のラウンドトリップ遅延値を測定することを特徴とする請求項５記載のゲートウェイ装置。
【請求項７】
前記対向側との間に前記ＲＴＰストリームが存在する時に自装置〜前記対向側〜自装置の間のラウンドトリップ遅延値の測定を行うことを特徴とする請求項６記載のゲートウェイ装置。
【請求項８】
前記第１及び第２のパケットは、ＲＴＰパケットであることを特徴とする請求項６または請求項７記載のゲートウェイ装置。
【請求項９】
ＩＰ（Ｉｎｔｅｒｎｅｔ  Ｐｒｏｔｏｃｏｌ）ネットワークを介して相互に接続される第１のゲートウェイ装置と第２のゲートウェイ装置との間において前記ＩＰネットワークの遅延を測定する通信ネットワークに用いられる遅延測定方法であって、前記第１及び第２のゲートウェイ装置各々の側に、送出側において前記遅延の測定指示直前に送出したパケットに重複する第１のパケットを受信側に送出するステップと、前記第１のパケットの受信に応答して受信側から送出されかつ前記第１のパケットの受信直前に送出されたパケットに重複する第２のパケットを検出するステップと、前記第１のパケットを送出してから前記第２のパケットを検出するまでの時間を測定するステップとを有することを特徴とする遅延測定方法。
【請求項１０】
ＲＴＰ（Ｒｅａｌ−ｔｉｍｅ  Ｔｒａｎｓｐｏｒｔ  Ｐｒｏｔｏｃｏｌ）を用いて伝送される一連のデータであるＲＴＰストリームが通過する経路のラウンドトリップ遅延値を測定することを特徴とする請求項９記載の遅延測定方法。
【請求項１１】
前記第１のゲートウェイ装置と前記第２のゲートウェイ装置との間に前記ＲＴＰストリームが存在する時に前記第１のゲートウェイ装置〜前記第２のゲートウェイ装置〜前記第１のゲートウェイ装置の間のラウンドトリップ遅延値の測定を前記第１のゲートウェイ装置で行うことを特徴とする請求項１０記載の遅延測定方法。
【請求項１２】
前記第１及び第２のパケットは、ＲＴＰパケットであることを特徴とする請求項１０または請求項１１記載の遅延測定方法。
【請求項１３】
ＩＰ（Ｉｎｔｅｒｎｅｔ  Ｐｒｏｔｏｃｏｌ）ネットワークを介して相互に接続される第１のゲートウェイ装置と第２のゲートウェイ装置との間において前記ＩＰネットワークの遅延を測定する通信ネットワークに用いられる遅延測定方法のプログラムであって、コンピュータに、送出側において前記遅延の測定指示直前に送出したパケットに重複する第１のパケットを受信側に送出する処理と、前記第１のパケットの受信に応答して受信側から送出されかつ前記第１のパケットの受信直前に送出されたパケットに重複する第２のパケットを検出する処理と、前記第１のパケットを送出してから前記第２のパケットを検出するまでの時間を測定する処理とを実行させるためのプログラム。
【発明の詳細な説明】
【技術分野】
【０００１】
本発明は通信ネットワーク、ゲートウェイ装置及びそれらに用いる遅延測定方法並びにそのプログラムに関し、特にゲートウェイ装置によるＩＰ（Ｉｎｔｅｒｎｅｔ  Ｐｒｏｔｏｃｏｌ）ネットワークの遅延を測定する方法に関する。
【背景技術】
【０００２】
従来、この種の遅延測定方法としては、ＩＰネットワークの遅延を測定する際に、測定用の特別なパケットを生成する方式（例えば、特許文献１参照）、パケット自体に時間情報を埋め込む方式（例えば、特許文献２参照）等による測定が提案されている。
【０００３】
しかしながら、これらの方式は、ＩＥＴＦ（Ｔｈｅ  Ｉｎｔｅｒｎｅｔ  Ｅｎｇｅｎｅｅｒｉｎｇ  Ｔａｓｋ  Ｆｏｒｃｅ）のＲＦＣ（Ｒｅｑｕｅｓｔ  Ｆｏｒ  Ｃｏｍｍｅｎｔｓ）に規定された標準的なパケットを使用したものではないため、ネットワークアドレス変換やパケットフィルタ、優先制御が一般化している今日のＩＰネットワークでは、測定対象のＲＴＰ（Ｒｅａｌ−ｔｉｍｅ  Ｔｒａｎｓｐｏｒｔ  Ｐｒｏｔｏｃｏｌ）ストリームと同条件での測定とはなっていない。
【０００４】
また、ＲＦＣ３５５０に記載されるＲＴＣＰ（ＲＴＰ  Ｃｏｎｔｒｏｌ  Ｐｒｏｔｏｃｏｌ）を使用したラウンドトリップ測定では（例えば、非特許文献１参照）、（１）ＲＴＣＰを実装することが必要、（２）ＲＴＣＰがＩＰネットワーク上で必ずしもＲＴＰと同じ扱いを受けるとは限らない、（３）ラウンドトリップ測定が他のＲＴＣＰ要素の処理周期と同じになってしまうという問題がある。
【０００５】
ここで、ラウンドトリップ測定とは、ある端末から発信されたパケットが別の端末に届き、さらにその返答が返ってくるまでの時間を示すラウンドトリップ時間を測定することを指しており、その測定方法としては、例えばｐｉｎｇコマンドがある。
【０００６】
【特許文献１】特開２００３−２４４２３７号公報
【特許文献２】特開２００１−３３３０９２号公報
【非特許文献１】“ＲＴＰ：Ａ  Ｔｒａｎｓｐｏｒｔ  Ｐｒｏｔｏｃｏｌ  ｆｏｒ  Ｒｅａｌ−Ｔｉｍｅ  Ａｐｐｌｉｃａｔｉｏｎｓ，６．４  Ｓｅｎｄｅｒ  ａｎｄ  Ｒｅｃｅｉｖｅｒ  Ｒｅｐｏｒｔｓ”（ＲＦＣ３５５０，Ｊｕｌｙ  ２００３，Ｐａｇｅ３５−４５）
【発明の開示】
【発明が解決しようとする課題】
【０００７】
従来、ＩＰネットワークにおけるラウンドトリップ時間の測定には、ＲＴＣＰやＩＣＭＰ（Ｉｎｔｅｒｎｅｔ  Ｃｏｎｔｒｏｌ  Ｍｅｓｓａｇｅ  Ｐｒｏｔｏｃｏｌ）をはじめとした測定用のデータを格納した特別なパケットの生成が必要である。
【０００８】
しかしながら、従来の遅延測定方法では、（１）特別なパケットの生成に専用の付加処理ブロックが必要である、（２）特別なパケットに対応していない装置に対して特別なパケット送出した場合に、対応していないことによる装置の受信処理負荷の増大が発生する、（３）特別なパケットが、ＮＡＴ（Ｎｅｔｗｏｒｋ  Ａｄｄｒｅｓｓ  Ｔｒａｎｓｌａｔｉｏｎ）やファイアウォール、ルータの設定によって通過できなかったり、別々のトラヒック優先とされることによって測定したいＲＴＰストリームとは異なる扱いを受ける場合がある等の問題がある。
【０００９】
そこで、本発明の目的は上記の問題点を解消し、測定対象のＲＴＰストリームに与える影響を最小限にし、かつＲＴＣＰとは独立してラウンドトリップ遅延値の測定を行うことができる通信ネットワーク、ゲートウェイ装置及びそれらに用いる遅延測定方法並びにそのプログラムを提供することにある。
【課題を解決するための手段】
【００１０】
本発明による通信ネットワークは、ＩＰ（Ｉｎｔｅｒｎｅｔ  Ｐｒｏｔｏｃｏｌ）ネットワークを介して相互に接続される第１のゲートウェイ装置と第２のゲートウェイ装置との間において前記ＩＰネットワークの遅延を測定する通信ネットワークであって、
送出側において前記遅延の測定指示直前に送出したパケットに重複する第１のパケットを受信側に送出する手段と、前記第１のパケットの受信に応答して受信側から送出されかつ前記第１のパケットの受信直前に送出されたパケットに重複する第２のパケットを検出する手段と、前記第１のパケットを送出してから前記第２のパケットを検出するまでの時間を測定する手段とを前記第１及び第２のゲートウェイ装置各々に備えている。
【００１１】
本発明によるゲートウェイ装置は、ＩＰ（Ｉｎｔｅｒｎｅｔ  Ｐｒｏｔｏｃｏｌ）ネットワークを介して接続される対向側との間において前記ＩＰネットワークの遅延を測定するゲートウェイ装置であって、
送出側において前記遅延の測定指示直前に送出したパケットに重複する第１のパケットを受信側に送出する手段と、前記第１のパケットの受信に応答して受信側から送出されかつ前記第１のパケットの受信直前に送出されたパケットに重複する第２のパケットを検出する手段と、前記第１のパケットを送出してから前記第２のパケットを検出するまでの時間を測定する手段とを備えている。
【００１２】
本発明による遅延測定方法は、ＩＰ（Ｉｎｔｅｒｎｅｔ  Ｐｒｏｔｏｃｏｌ）ネットワークを介して相互に接続される第１のゲートウェイ装置と第２のゲートウェイ装置との間において前記ＩＰネットワークの遅延を測定する通信ネットワークに用いられる遅延測定方法であって、前記第１及び第２のゲートウェイ装置各々の側に、送出側において前記遅延の測定指示直前に送出したパケットに重複する第１のパケットを受信側に送出するステップと、前記第１のパケットの受信に応答して受信側から送出されかつ前記第１のパケットの受信直前に送出されたパケットに重複する第２のパケットを検出するステップと、前記第１のパケットを送出してから前記第２のパケットを検出するまでの時間を測定するステップとを備えている。
【００１３】
本発明による遅延測定方法のプログラムは、ＩＰ（Ｉｎｔｅｒｎｅｔ  Ｐｒｏｔｏｃｏｌ）ネットワークを介して相互に接続される第１のゲートウェイ装置と第２のゲートウェイ装置との間において前記ＩＰネットワークの遅延を測定する通信ネットワークに用いられる遅延測定方法のプログラムであって、コンピュータに、送出側において前記遅延の測定指示直前に送出したパケットに重複する第１のパケットを受信側に送出する処理と、前記第１のパケットの受信に応答して受信側から送出されかつ前記第１のパケットの受信直前に送出されたパケットに重複する第２のパケットを検出する処理と、前記第１のパケットを送出してから前記第２のパケットを検出するまでの時間を測定する処理とを実行させている。
【００１４】
すなわち、本発明の遅延測定方法は、ＩＰ（Ｉｎｔｅｒｎｅｔ  Ｐｒｏｔｏｃｏｌ）ネットワークにおいて、ＲＴＰ（Ｒｅａｌ−ｔｉｍｅ  Ｔｒａｎｓｐｏｒｔ  Ｐｒｏｔｏｃｏｌ）を用いて伝送される一連のデータ（ＲＴＰストリーム）が通過する経路のラウンドトリップ遅延値を、ＲＴＰ以外の特別なパケットを使用することなく測定することを特徴とする。
【００１５】
より具体的に説明すると、本発明の遅延測定方法では、送出側（測定元）装置で、測定指示直前に送出したＲＴＰパケットの重複パケットを送出し、受信側装置でその重複パケットを検出した後、受信側装置でも、上記と同様に、直前に送出したＲＴＰパケットの重複パケットを送出し、送出側装置でこの重複パケットを検出するまでの時間を測定することによって、ラウンドトリップ遅延値を測定している。
【００１６】
これによって、本発明の遅延測定方法では、標準的なＲＴＰパケットを用いるため、測定対象のＲＴＰストリームに与える影響を最小限にし、かつＲＴＣＰ（ＲＴＰ  Ｃｏｎｔｒｏｌ  Ｐｒｏｔｏｃｏｌ）とは独立してラウンドトリップ遅延値の測定を行うことが可能となる。
【００１７】
つまり、本発明の遅延測定方法では、ＲＴＰパケットのみを唯一の測定パケットとしているため、特別なパケット［例えば、ＲＴＣＰやＩＣＭＰ（Ｉｎｔｅｒｎｅｔ  Ｃｏｎｔｒｏｌ  Ｍｅｓｓａｇｅ  Ｐｒｏｔｏｃｏｌ）、及びＲＴＰ等を改変させたもの）を使用する必要がない。
【００１８】
また、本発明の遅延測定方法では、標準的なＲＴＰパケットの重複を測定トリガに使用しているため、既存の装置への悪影響がない。さらに、本発明の遅延測定方法では、測定対象のＲＴＰストリームを構成しているのと同じＲＴＰパケットを使用しているため、ＮＡＴ（Ｎｅｔｗｏｒｋ  Ａｄｄｒｅｓｓ  Ｔｒａｎｓｌａｔｉｏｎ）やファイアウォール、ルータの設定によらず、ＲＴＰストリームのラウンドトリップ遅延値を測定することが可能となる。
【発明の効果】
【００１９】
本発明は、以下に述べるような構成及び動作とすることで、測定対象のＲＴＰストリームに与える影響を最小限にし、かつＲＴＣＰとは独立してラウンドトリップ遅延値の測定を行うことができるという効果が得られる。
【発明を実施するための最良の形態】
【００２０】
次に、本発明の実施例について図面を参照して説明する。図１は本発明の一実施例による通信ネットワークの構成を示すブロック図である。図１において、本発明の一実施例による通信ネットワークでは、２つのゲートウェイ装置１，２がＩＰネットワーク１００に接続されている。各ゲートウェイ装置１，２はＴＤＭ（Ｔｉｍｅ  Ｄｉｖｉｓｉｏｎ  Ｍｕｌｔｉｐｌｅｘｉｎｇ）ネットワーク２００，３００に接続され、ＩＰネットワーク１００との間でのメディア変換を行う。
【００２１】
図２は図１のゲートウェイ装置１の構成を示すブロック図であり、図３は図１のゲートウェイ装置２の構成を示すブロック図である。これら図２及び図３において、ゲートウェイ装置１，２はそれぞれ外部インタフェース１１，２１と、パケット受信部１２，２２と、パケット送信部１３，２３と、一時パケットバッファ１４，２４と、タイマ１５，２５と、重複検出部１６，２６と、重複作成指示部１７，２７と、パケット−ＴＤＭ変換部１８，２８と、これら各部の動作を実現するためのプログラムを格納する記録媒体１９，２９とから構成されている。
【００２２】
尚、図示していないが、ゲートウェイ装置１，２は少なくともＣＰＵ（中央処理装置）とＲＡＭ（リードオンリメモリ）とを備え、ＣＰＵが記録媒体１９，２９のプログラムをＲＡＭに展開して実行することで、後述する各部の動作を実現することも可能である。
【００２３】
パケット−ＴＤＭ変換部１８，２８は入力されたＴＤＭデータのＲＴＰ（Ｒｅａｌ−ｔｉｍｅ  Ｔｒａｎｓｐｏｒｔ  Ｐｒｏｔｏｃｏｌ）データへの変換、及び入力されたＲＴＰデータのＴＤＭデータへの変換を行う。パケット−ＴＤＭ変換部１８，２８で作成されたＲＴＰデータはパケット送信部１３，２３によってＩＰネットワーク１００と一時パケットバッファ１４，２４とにそれぞれ出力される。
【００２４】
一時パケットバッファ１４，２４に入ったＲＴＰデータは、重複作成指示部１７，２７から起動指示があった時に、パケット送信部１３，２３を介して即座にＩＰネットワーク１００へ送出される。一時パケットバッファ１４，２４内のＲＴＰデータは、新たなシーケンス番号を持ったＲＴＰパケットを作成するまで保持され、新たなシーケンス番号を持ったＲＴＰパケットによって上書きされる。
【００２５】
重複作成指示部１７，２７は外部インタフェース１１，２１を通して外部からの測定起動指示によって、パケット送信部１３，２３と重複検出部１６，２６とに起動指示を送る。ＩＰネットワーク１００から入力されたＲＴＰデータは、パケット受信部１２，２２を経由し、パケット−ＴＤＭ変換部１８，２８へ出力される。その際、ＲＴＰパケットのシーケンス番号を重複検出部１６，２６に通知する。
【００２６】
重複検出部１６，２６は重複作成指示部１７，２７が起動した時、及び重複作成指示部１７，２７が起動中かつすでに受け取ったことのあるＲＴＰパケットと同じシーケンス番号を持ったパケットがパケット受信部１２，２２に到着した時に、タイマ１５，２５の時間取得を行い、時間差を外部インタフェース１１，２１を通して外部に通知する。また、重複検出部１６，２６は重複作成指示部１７，２７が未起動時にタイマ１５，２５からの時間取得を行わず、重複作成指示部１７，２７に対して重複パケット作成を指示する。
【００２７】
図４は本発明の一実施例による通信ネットワークにおけるＲＴＰパケットの送受信を示すタイムチャートであり、図５は図１のゲートウェイ装置１の動作を示すフローチャートであり、図６は図１のゲートウェイ装置２の動作を示すフローチャートである。これら図１〜図６を参照して本発明の一実施例による通信ネットワークにおける遅延測定方法について説明する。尚、図５及び図６に示す処理はゲートウェイ装置１，２各々のＣＰＵが記録媒体１９，２９のプログラムを実行することで実現される。また、ゲートウェイ装置１，２各々が図５及び図６に示す処理を両方とも行うようにすることも可能である。
【００２８】
本実施例は、ゲートウェイ装置１とゲートウェイ装置２との間にＲＴＰストリームが存在する時に、ゲートウェイ装置１〜ゲートウェイ装置２〜ゲートウェイ装置１の間のラウンドトリップ遅延値の測定を、時間ｔ１０にゲートウェイ装置１に対して指示した場合の動作を示している。ここで、ラウンドトリップ遅延値の測定とは、ある端末から発信されたパケットが別の端末に届き、さらにその返答が返ってくるまでの時間を示すラウンドトリップ時間を測定することを指しており、その測定方法としては、例えばｐｉｎｇコマンドがある。
【００２９】
ゲートウェイ装置１では外部インタフェース１１を介して測定起動指示があると（図５ステップＳ１）、重複作成指示部１７から重複検出部１６とパケット送信部１３とに対して測定の開始が通知される（図５ステップＳ２）。重複検出部１６はこの測定開始時間ｔ１０をタイマ１５から取得し、ラウンドトリップの基点とする（図５ステップＳ３）。
【００３０】
パケット送信部１３は一時パケットバッファ１４から、最後に送出したシーケンス番号Ｎのパケットのコピーを取り出し、データやヘッダ等を変更することなく、即座にＩＰネットワーク１００に送出する（図５ステップＳ４）。
【００３１】
対向側のゲートウェイ装置２では時間ｔ２０に到着したシーケンス番号Ｎの重複パケットがパケット受信部２２を経由して重複検出部２６に送られ、重複検出部２６で重複パケットであることが検出される（図６ステップＳ１１，Ｓ１２）。重複パケットの検出方法としては、シーケンス番号の若返りの検出や、過去数パケット分のシーケンス番号を保持して比較する等の方法が用いられる。尚、重複パケットであることが検出されない場合、ゲートウェイ装置２は通常のパケット受信処理を行う（図６ステップＳ１３）。
【００３２】
この時点で、重複作成指示部２７が起動されていないため、重複検出部２６は重複作成指示部２７を介してパケット送信部２３に重複パケット作成を指示する（図６ステップＳ１４）。パケット送信部２３は重複パケット作成が指示されると、時間ｔ２１に、一時パケットバッファ２４から最後に送出したシーケンス番号Ｍのパケットのコピーを取り出し、データやヘッダ等を変更することなく、即座にＩＰネットワーク１００に送出する（図６ステップＳ１５）。
【００３３】
ゲートウェイ装置１では時間ｔ１１に到着したシーケンス番号Ｍの重複パケットがパケット受信部１２を経由して重複検出部１６に送られ、重複検出部１６で重複パケットであることが検出される（図５ステップＳ５）。この時点で、重複作成指示部１７が起動しているため、重複検出部１６は重複パケット受信時間ｔ１１をタイマ１５から取得し、ラウンドトリップの終点とする（図５ステップＳ６）。重複検出部１６は測定開始時間ｔ１０と重複パケット受信時間ｔ１１との差分（ｔ１１−ｔ１０）を計算し、その結果を外部インタフェース１１を通してラウンドトリップ値として出力する（図５ステップＳ７）。
【００３４】
このように、本実施例では、ＲＴＰパケットのみを唯一の測定パケットとしているため、特別なパケット（例えば、ＲＴＣＰ（ＲＴＰ  Ｃｏｎｔｒｏｌ  Ｐｒｏｔｏｃｏｌ）やＩＣＭＰ（Ｉｎｔｅｒｎｅｔ  Ｃｏｎｔｒｏｌ  Ｍｅｓｓａｇｅ  Ｐｒｏｔｏｃｏｌ）、ＲＴＰ等を改変させたもの）を使用する必要がない。
【００３５】
また、本実施例では、標準的なＲＴＰパケットの重複を測定トリガに使用しているため、既存の装置への悪影響がない。さらに、本実施例では、測定対象のＲＴＰストリームを構成しているのと同じＲＴＰパケットを使用しているため、ＮＡＴ（Ｎｅｔｗｏｒｋ  Ａｄｄｒｅｓｓ  Ｔｒａｎｓｌａｔｉｏｎ）やファイアウォール、ルータの設定によらず、ＲＴＰストリームのラウンドトリップ遅延値を測定することができる。
【００３６】
つまり、本実施例では、標準的なＲＴＰパケットを用いるため、測定対象のＲＴＰストリームに与える影響を最小限にし、かつＲＴＣＰとは独立してラウンドトリップ遅延値の測定を行うことができる。
【図面の簡単な説明】
【００３７】
【図１】本発明の一実施例による通信ネットワークの構成を示すブロック図である。
【図２】図１のゲートウェイ装置１の構成を示すブロック図である。
【図３】図１のゲートウェイ装置２の構成を示すブロック図である。
【図４】本発明の一実施例による通信ネットワークにおけるＲＴＰパケットの送受信を示すタイムチャートである。
【図５】図１のゲートウェイ装置１の動作を示すフローチャートである。
【図６】図１のゲートウェイ装置２の動作を示すフローチャートである。
【符号の説明】
【００３８】
１，２  ゲートウェイ装置
１１，２１  外部インタフェース
１２，２２  パケット受信部
１３，２３  パケット送信部
１４，２４  一時パケットバッファ
１５，２５  タイマ
１６，２６  重複検出部
１７，２７  重複作成指示部
１８，２８  パケット−ＴＤＭ変換部
１９，２９  記録媒体
１００  ＩＰネットワーク
２００，３００  ＴＤＭネットワーク
【図１】
2006086668.tif 000003
【図２】
2006086668.tif 000004
【図３】
2006086668.tif 000005
【図４】
2006086668.tif 000006
【図５】
2006086668.tif 000007
【図６】
2006086668.tif 000008